【手続補正書】
【提出日】平成18年9月20日(2006.9.20)
【手続補正１】
【補正対象書類名】明細書
【補正対象項目名】特許請求の範囲
【補正方法】変更
【補正の内容】
【特許請求の範囲】
【請求項１】  複合パーソナルケア物品を製造するとともに、製造されたパーソナルケア物品における、連続的ウェブ材料を含む前駆体の少なくとも１つの構成部品の組立品質特性を検知するための製造装置であって、
（ａ）所定の配置に従ってパーソナルケア物品の前駆体を製造するために、製造ラインに沿ってウェブを搬送し、前記ウェブ上での加工を行う複数のワークステーションを通すことによって、前記ウェブ上にパーソナルケア物品の前駆体のアレーを形成するように配置された製造機械、
（ｂ）前記ウェブの横方向寸法にわたりウェブを切断することを含め、前記ウェブ及び前記ウェブ上のパーソナルケア物品の前駆体のアレーを、前記ウェブから個々のパーソナルケア物品に切離す分離装置、及び
（ｃ）前記ウェブと協働する関係で配置され、前記ウェブ上で製造された製品の赤外線識別特性を検知することにより、前記複合パーソナルケア物品又は複合パーソナルケア物品の前駆体の各々の組立品質特性を測定し、前記検知した特性を表す信号を出力する赤外線検知・信号処理装置を備えたことを特徴とする製造装置。
【請求項２】  前記赤外線検知・信号処理装置は、赤外線検出装置、及び前記赤外線検出装置から出力された信号を受信し、前記信号を処理して前記製造ラインで製造されたパーソナルケア物品又はパーソナルケア物品の前駆体の少なくとも１つを表す処理出力を作り出す、前記赤外線検出装置とは物理的に分離した別個の信号処理装置を備えたことを特徴とする請求項１に記載の製造装置。
【請求項３】  前記製造機械は、前記ウェブ上に吸収性コアを配置するとともに、前記吸収性コアが前記ウェブと身体側ライナ材料との間になるように前記吸収性コアを覆う前記身体側ライナ材料を配置し、且つ、前記赤外線検知・信号処理装置は、視覚的障害物となる材料を介して前記吸収性コアの位置を透視し検知することを特徴とする請求項１に記載の製造装置。
【請求項４】  視覚的障害となる前記材料が、前記身体側ライナ及びウェブの１方であることを特徴とする請求項３に記載の製造装置。
【請求項５】  前記製造機械は、前記ウェブ上に吸収性コアを配置するとともに、前記吸収性コアが前記ウェブと身体側ライナ材料との間になるように前記吸収性コアを覆う前記身体側ライナ材料を配置し、更に、前記ウェブの身体側ライナ材料の１つは、前記赤外線検知・信号処理装置に面し、可視的な印刷画像を含む第１表面を有し、且つ、前記赤外線検知・信号処理装置による検知で、可視的な印刷画像を介して、前記身体側ライナ材料及びウェブの各々の下にある組立品質特性が検知されることを特徴とする請求項２に記載の製造装置。
【請求項６】  前記パーソナルケア物品の各構成部品の少なくとも一部を互いに固定して、連続的ウェブにおける前記複合パーソナルケア物品の前駆体を、ウェブの長さに沿って互いに接合された前駆体に成形するための固定装置を更に備えたことを特徴とする請求項１に記載の製造装置。
【請求項７】  前記固定装置は、第１構成部品の各々の少なくとも第１部分を第２構成部品の各々の第２部分に固定するために接着剤を塗布する接着剤塗布装置を備えたことを特徴とする請求項６に記載の製造装置。
【請求項８】  前記赤外線検知・信号処理装置は、前記パーソナルケア物品における接着剤の位置を検知することを特徴とする請求項７に記載の製造装置。
【請求項９】  前記赤外線検知・信号処理装置は、前記パーソナルケア物品に配置された接着剤の量を検知することを特徴とする請求項７に記載の製造装置。
【請求項１０】  前記パーソナルケア物品の長さに沿うウェブの脚用切取り部の対向する外縁の各々に隣接して間隔を空けて脚部弾性体を配置するとともに、前記脚部弾性体をウェブの又はウェブ上の構成部品に接着する脚部弾性体取り付け装置を備えたことを特徴とする請求項５に記載の製造装置。
【請求項１１】  前記脚部弾性体にホットメルト接着剤を塗布する接着剤装置を備え、且つ、前記赤外線検知・信号処理装置は、前記脚部弾性体のホットメルト接着剤の位置を検知することにより、前記パーソナルケア物品での脚部弾性体の位置を間接的に検出することを特徴とする請求項１０に記載の製造装置。
【請求項１２】  前記身体側ライナ層は、前記赤外線検知・信号処理装置と脚部弾性体との間に配置され、且つ、前記赤外線検知・信号処理装置は、前記身体側ライナ層を介して前記接着剤の位置を検知することによって、前記脚部弾性体の位置を検知することを特徴とする請求項１１に記載の製造装置。
【請求項１３】  前記製造機械は、前記パーソナルケア物品の前駆体の要素として、相対的に超吸収体が集中したゾーンを有する吸収性コアを前記ウェブの上に配置し、且つ、前記赤外線検知・信号処理装置は、前記相対的に超吸収体が集中したゾーンを、前記吸収性コアの他の部分とは識別して検知することを特徴とする請求項１に記載の製造装置。
【請求項１４】  前記製造機械は、前記パーソナルケア物品の前駆体の要素として、閉じ込めフラップを前記ウェブ上に配置し、前記閉じ込めフラップは、結合によりウェブに固定されて結合部を作り出し、且つ、前記赤外線検知・信号処理装置は、前記結合部の位置及び特性を検知することを特徴とする請求項１に記載の製造装置。
【請求項１５】  前記固定装置は、超音波ホーン及び協働するアンビルを備え、前記超音波ホーンは、超音波エネルギーを与えて、前記パーソナルケア物品の前駆体において、前記パーソナルケア物品の前駆体の少なくとも１つの構成部品を結合する結合部を作り出すことを特徴とする請求項６に記載の製造装置。
【請求項１６】  前記赤外線検知・信号処理装置は、前記超音波結合部の位置を検知することを特徴とする請求項１５に記載の製造装置。
【請求項１７】  前記赤外線検知・信号処理装置が、前記超音波結合部の存在を検出しない場合には、前記赤外線検知・信号処理装置の出力が、操作ステーションに表示されることを特徴とする請求項１５に記載の製造装置。
【請求項１８】  前記赤外線検知・信号処理装置は、構成部品の所定の１つの位置決め精度を検知することを特徴とする請求項１に記載の製造装置。
【請求項１９】  前記赤外線検知・信号処理装置の出力は、少なくとも１つの構成部品について不適切な状態の存在を特定する警報信号を操作ステーションに送信することを特徴とする請求項１に記載の製造装置。
【請求項２０】  前記赤外線検知・信号処理装置は、前記製造ラインから前記パーソナルケア物品の選択されたものを抜取るための抜取り信号を出力することを特徴とする請求項１に記載の製造装置。
【請求項２１】  前記赤外線検知・信号処理装置の出力は、前記製造ラインを停止することができることを特徴とする請求項１に記載の製造装置。
【請求項２２】  前記赤外線検知・信号処理装置の出力は、所定の制御許容誤差内にないパーソナルケア物品の特性又は構成部品に対する注意を喚起することを特徴とする請求項１に記載の製造装置。
【請求項２３】  前記赤外線検知・信号処理装置の出力は、制御指令を発することにより、位置合わせ制御機能を起動させることを特徴とする請求項１に記載の製造装置。
【請求項２４】  前記赤外線検知・信号処理装置は、前記パーソナルケア物品の脚用切取り部の存在を検知し、操作ステーションへの警報を制御することを特徴とする請求項１に記載の製造装置。
【請求項２５】  前記赤外線検知・信号処理装置は、製造ラインで製造過程にあるパーソナルケア物品に共通の組立品質特性を検知し、前記組立品質特性は、組み合わせにおいて、前記製造過程にあるパーソナルケア物品の識別特性を含むことを特徴とする請求項１に記載の製造装置。
【請求項２６】  前記赤外線検知・信号処理装置は、最低約１０℃から最高約２００℃までの温度のパーソナルケア物品の各部を検知することを特徴とする請求項１に記載の製造装置。
【請求項２７】  前記赤外線検知・信号処理装置は、前記パーソナルケア物品の１つの面積によって規定される投影表面全体での温度差を検知する受動的赤外線検知器を備えたことを特徴とする請求項１に記載の製造装置。
【請求項２８】  前記赤外線検知・信号処理装置は、前記パーソナルケア物品からの赤外線画像を取得する赤外線カメラを備えたことを特徴とする請求項１に記載の製造装置。
【請求項２９】  前記赤外線検知・信号処理装置からの出力は、前記パーソナルケア物品又はパーソナルケア物品の前駆体の少なくとも１つを表す複合視像を含むことを特徴とする請求項１に記載の製造装置。
【請求項３０】  前記赤外線検知・信号処理装置は、各視像に対して、評価過程にあるパーソナルケア物品の個々の領域からの一連の赤外線信号を取得する赤外線カメラを備えたことを特徴とする請求項２９に記載の製造装置。
【請求項３１】  前記赤外線検知・信号処理装置の出力は、検知されたパーソナルケア物品又はパーソナルケア物品の前駆体の許容誤差外の状態を表し、且つ、前記赤外線検知・信号処理装置は、許容誤差外信号を操作ステーションに送信することを特徴とする請求項１に記載の製造装置。
【請求項３２】  前記製造機械は、
（ｄ）前記ウェブを前記製造ラインに給送する第１層装置及び第１偏向装置、
（ｅ）前記製造ラインにおいて、吸収性コアをウェブに給送する吸収性コア装置、
（ｆ）前記第１層及び吸収性コアを覆うように、前記製造ラインに第２外側層を給送する第２層装置及び第２偏向装置、
（ｇ）脚部弾性体を製造ラインに給送する脚部弾性体装置、
（ｈ）閉じ込めフラップを前記製造ラインの前記第２外側層の上に給送する閉じ込めフラップ装置、及び
（ｉ）第１結合装置を備え、第１結合装置は、その下流方向に、前記ウェブの長さのほぼ全体に沿うウェブの対向する側部に沿って全体的に連続的な結合を行い、且つ
（ｊ）前記パーソナルケア物品の前駆体の各々の端部に沿って端シールを行う第２結合装置を更に備えたことを特徴とする請求項１に記載の製造装置。
【請求項３３】  前記製造機械は、
（ｋ）前記脚部弾性体に接着剤を塗布することにより、前記パーソナルケア物品の前駆体に前記脚部弾性体を接着する第１接着剤塗布装置、
（ｌ）前記製造ラインにテープを給送するテープ貯蔵装置、
（ｍ）前記テープに接着剤を塗布することにより、前記パーソナルケア物品の前駆体に前記テープを接着する第２接着剤塗布装置、及び
（ｎ）前記閉じ込むフラップに接着剤を塗布することにより、前記パーソナルケア物品の前駆体の吸収性コアの上に閉じ込めフラップを接着する第３接着剤塗布装置を更に備えたことを特徴とする請求項３２に記載の製造装置。
【請求項３４】  各々が、身体側ライナ、ウェブに設けられた外側カバー、及び前記身体側ライナと前記外側カバーとの間に配置されたパーソナルケア物品又はパーソナルケア物品の前駆体の少なくとも１つの要素を有し、加工装置により製造過程にあるパーソナルケア物品又はパーソナルケア物品の前駆体の組立品質特性を検知する方法であって、
（ａ）赤外線検知器を有する赤外線検知・信号処理装置を用い、視覚的に比較的不透明な前記外側カバー及び身体側ライナの１つを介して、前記少なくとも１つの要素の品質特性を検知し、前記赤外線検知器から第１信号を出力する段階、
（ｂ）前記赤外線検知・信号処理装置の要素に対して該出力信号を送信する段階とを含み、
前記赤外線検知・信号処理装置の前記要素は、前記加工装置で製造過程にあるパーソナルケア物品又はパーソナルケア物品の前駆体の組立品質特性を表す第２信号を出力することによりに応答することができるものである、方法。
【請求項３５】  前記赤外線検知・信号処理装置は、赤外線検出装置、及び前記赤外線検出装置とは物理的に分離された別個の信号処理装置を備え、前記信号処理装置は、前記赤外線検出装置から出力された信号を受信し、前記信号を処理して前記製造ラインで製造過程にある少なくとも１つのパーソナルケア物品又はパーソナルケア物品の前駆体を表す処理装置出力を作り出すことを特徴とする請求項３４に記載の方法。
【請求項３６】  製造されるパーソナルケア物品の前駆体の少なくとも１つの構成部品が材料の連続的ウェブを含む、複合パーソナルケア物品を製造する方法であって、
（ａ）所定の配置に従ってパーソナルケア物品の前駆体を製造するために、製造ラインに沿って前記ウェブを搬送し、前記ウェブ上での作業が行われる複数の作業ステーションを通すことによって、前記ウェブ上にパーソナルケア物品の前駆体のアレーを形成する段階、
（ｂ）前記ウェブの横方向寸法にわたってウェブを切断する段階を含み、ウェブセグメント及びその上の前記パーソナルケア物品の前駆体のアレーを、前記ウェブから個々のパーソナルケア物品に切離す段階、及び
（ｃ）前記ウェブ上に製造された製品の赤外線識別特性を検知することにより、複合パーソナルケア物品又は複合パーソナルケア物品の前駆体の各々の組立品質特性を測定し、検知した特性を表す信号を出力する段階を含む方法。
【請求項３７】  赤外線検知・信号処理装置が、赤外線検出装置、及び前記赤外線検出装置から出力された信号を受信し、前記信号を処理して製造ラインで製造過程にある少なくとも１つのパーソナルケア物品又はパーソナルケア物品の前駆体を表す処理装置出力を作り出す、前記赤外線検出装置とは物理的に分離された別個の信号処理装置を備えたことを特徴とする請求項３６に記載の方法。